(57)【要約】【課題】太陽電池の発電量の変化に応じて表示濃度が変化してしまうことなく、その表示品位を一定に保つことが可能になる太陽電池を備えた電子機器を提供する。【解決手段】制御部（ＣＰＵ）２１の電圧検出Ａ／Ｄ変換部２１ａに検出される電圧データ（Ｖｓ）が正常動作の必要駆動電圧１．５Ｖ以下に低下したと判断されると、その都度、表示部（最大１２桁表示）１４で動作させる表示桁数Ｎを一段階（３桁）減少して制限し、また前記電圧データ（Ｖｓ）が１．６Ｖ以上に回復したと判断されると、その都度、前記表示桁数Ｎを一段階（３桁）増加して動作させる。【選択図】      図２
2014010551.tif 000002
【特許請求の範囲】
【請求項１】
太陽電池と、
複数の表示体を有する表示部と、
前記太陽電池の発電量の変化に応じて前記表示部で動作させる表示体の表示数を変更する表示数制御手段と、
を備えたことを特徴とする電子機器。
【請求項２】
前記太陽電池の出力電圧を検出する電圧検出部を備え、
前記表示数制御手段は、前記電圧検出部により検出される太陽電池の出力電圧に応じて前記表示部で動作させる表示体の表示数を変更する、
ことを特徴とする請求項１に記載の電子機器。
【請求項３】
前記表示数制御手段は、
前記電圧検出部により検出される太陽電池の出力電圧が予め設定された電圧以下となった場合に前記表示部で動作させる表示体の表示数を減少して変更する減少手段と、
前記電圧検出部により検出される太陽電池の出力電圧が予め設定された電圧以上に回復した場合に前記表示部で動作させる表示体の表示数を増加して変更する増加手段とを有する、
ことを特徴とする請求項２に記載の電子機器。
【請求項４】
前記増加手段において予め設定された電圧は、前記減少手段において予め設定された電圧よりも高い電圧に設定されることを特徴とする請求項３に記載の電子機器。
【請求項５】
計算動作の途中であるかを判断する計算途中判断手段を備え、
この計算途中判断手段により計算動作の途中であると判断される状態では、前記表示数制御手段による表示数の変更を行わないことを特徴とする請求項１ないし請求項４の何れか１項に記載の電子機器。
【請求項６】
前記表示部は、前記複数の表示体が複数桁を構成するように配置されており、
前記表示数制御手段は、前記太陽電池の発電量の変化に応じて前記表示部で動作させる表示体の表示桁数を変更することを特徴とする請求項１ないし請求項５の何れか１項に記載の電子機器。
【発明の詳細な説明】
【技術分野】
【０００１】
本発明は、太陽電池を備えた電子式卓上計算機などの電子機器に関する。
【背景技術】
【０００２】
電子式卓上計算機（以下、電卓）など小型の電子機器では、電源確保の容易性や小型軽量化等の観点から、太陽電池を駆動電源として搭載したものが実用されている。
【０００３】
太陽電池により駆動される電卓の場合、周囲環境が薄暗くなって太陽電池の発電量が低下すると、液晶表示部での表示が薄くなり、使い勝手が悪くなってしまう。そしてさらに周辺環境が暗くなってしまうと、電源ＯＦＦの状態となり動作が停止してしまう。
【０００４】
太陽電池と１次電池との２電源を内蔵した電卓であって、照光下では太陽電池に切換えて省エネルギー駆動とし、暗い場所では１次電池に切換えて安定駆動とする電卓が考えられている（例えば、特許文献１参照。）。
【先行技術文献】
【特許文献】
【０００５】
【特許文献１】特開平０８−１７１４３３号公報
【発明の概要】
【発明が解決しようとする課題】
【０００６】
太陽電池と１次電池との２電源を内蔵した電卓では、暗い場所での安定駆動を確保できるものの、小型軽量化を図る上では障害になる。
【０００７】
このため、太陽電池により駆動される電卓であって、周辺環境が薄暗くなることにより当該太陽電池の発電量が低下した場合でも、液晶表示部における表示品位をできる限り保つための工夫が望まれる。
【０００８】
本発明は、このような課題に鑑みなされたもので、太陽電池の発電量の変化に応じて表示濃度が変化してしまうことなく、その表示品位を一定に保つことが可能になる太陽電池を備えた電子機器を提供することを目的とする。
【課題を解決するための手段】
【０００９】
本発明に係る電子機器は、太陽電池と、複数の表示体を有する表示部と、前記太陽電池の発電量の変化に応じて前記表示部で動作させる表示体の表示数を変更する表示数制御手段と、を備えたことを特徴としている。
【発明の効果】
【００１０】
本発明によれば、太陽電池の発電量の変化に応じて表示濃度が変化してしまうことなく、その表示品位を一定に保つことが可能になる電子機器を提供できる。
【図面の簡単な説明】
【００１１】
【図１】本発明の太陽電池を備えた電子機器の実施形態に係る電子式卓上計算機（電卓）１０の外観構成を示す正面図。
【図２】前記電卓１０の電子回路の構成を示すブロック図。
【図３】前記電卓１０の必要駆動電圧（１．５Ｖ）における太陽電池パネル１５の発電能力と表示桁数に応じた消費電流との関係を説明する図であり、同図（Ａ）は太陽電池パネル１５の照度(lux)と発電量(μA)との対応関係を示すテーブル、同図（Ｂ）は表示桁数と消費電流(μA)との対応関係を示すテーブル、同図（Ｃ）は太陽電池パネル１５の照度(lux)と発電量(μA)との関係上での表示桁別消費電流を示すグラフ。
【図４】前記電卓１０の基本動作を示すフローチャート。
【図５】前記電卓１０の桁数制御処理を示すフローチャート。
【図６】前記電卓１０における太陽電池パネル１５の発電量の低下に伴う桁数制御処理に応じた表示動作を示す図。
【図７】前記電卓１０における太陽電池パネル１５の発電量の回復に伴う桁数制御処理に応じた表示動作を示す図。
【発明を実施するための形態】
【００１２】
以下図面により本発明の実施の形態について説明する。
【００１３】
図１は、本発明の太陽電池を備えた電子機器の実施形態に係る電子式卓上計算機（電卓）１０の外観構成を示す正面図である。
【００１４】
この電卓１０の本体正面にはキー入力部１１、セグメント型の液晶表示部（ＬＣＤ）１４、および太陽電池パネル１５が設けられる。
【００１５】
キー入力部１１には、数値を入力したり計算の実行を指示したりするための数値・演算記号キー群１２、符号の切り替えやメモリ機能を利用した計算モードを設定するための計算機能設定キー群１３が備えられる。
【００１６】
前記数値・演算記号キー群１２としては、［０］〜［９］（数値）キー、［＋］［−］［×］［÷］［＝］（算術記号）キー、［ＡＣ/ON］（クリア／電源）キーなどが配列される。
【００１７】
前記計算機能設定キー群１３としては、［＋／−］キー、［Ｍ＋］（メモリプラス）キー、［Ｍ−］（メモリマイナス）キー、［ＭＲＣ］（メモリクリア）キー、［ＭＵ］（マークアップ）キー、［ＧＴ］（総計）キーなどが配列される。
【００１８】
前記セグメント型の液晶表示部（ＬＣＤ）１４は、１２桁（１２個）の数値表示体やカンマ表示体“‘”、ピリオド表示体“．”、負符号表示体“−”“＝”、演算子表示体“＋”“−”“×”“÷”等を備える。
【００１９】
図２は、前記電卓１０の電子回路の構成を示すブロック図である。
【００２０】
この電卓１０は、コンピュータである制御部（ＣＰＵ）２１を備えている。
【００２１】
制御部（ＣＰＵ）２１は、メモリ２１ｍに予め記憶されている電卓制御プログラムに従い同メモリ２１ｍ内に作業領域を確保して回路各部の動作を制御する。
【００２２】
制御部（ＣＰＵ）２１は、必要な電源電圧が例えば１．５Ｖであって、太陽電池パネル１５から供給される発電電力により駆動され、また、キー入力部１１および液晶表示部（ＬＣＤ）１４も前記発電電力により制御部（ＣＰＵ）２１を介して駆動される。
【００２３】
制御部（ＣＰＵ）２１は、太陽電池パネル１５からの出力電圧Ｖｓを、電圧検出Ａ／Ｄ変換部２１ａにより検出し電源電圧データとして取り込む。
【００２４】
そして、前記制御部（ＣＰＵ）２１のメモリ２１ｍ内に記憶された電卓制御プログラムは、キー入力部１１からのキー入力信号や電圧検出Ａ／Ｄ変換部２１ａにより取り込まれる電源電圧データに応じて起動される。
【００２５】
なお、前記制御部（ＣＰＵ）２１の（＋）側の電源供給端子と（−）側の接地端子との間には、太陽電池パネル１５による発電電圧が当該制御部（ＣＰＵ）２１の許容電圧（例えば３Ｖ）を超えた場合に導通して電流を逃がす保護ダイオードＺＤが接続される。
【００２６】
前記制御部（ＣＰＵ）２１は、メモリ２１ｍに記憶された電卓制御プログラムに従い、電圧検出Ａ／Ｄ変換部２１ａを介して取り込まれる太陽電池パネル１５のからの出力電圧Ｖｓの電圧データに応じて、液晶表示部（ＬＣＤ）１４における表示可能桁数を３段階（１２桁、９桁、６桁）に減少または増加して変更する機能を有する。
【００２７】
ここで、前記液晶表示部（ＬＣＤ）１４の表示可能桁数を増加または減少して変更する機能は、数値の入力、計算、表示に伴うレジスタの有効桁数を制限するのと共に、非表示状態に設定する表示部１４内の表示桁のセグメントに対して非表示の信号（最低信号レベル）を連続的に供給するか、又は同非表示状態に設定する表示桁の範囲に対する表示制御信号の出力を遮断することで実施する。
【００２８】
図３は、前記電卓１０の必要駆動電圧（１．５Ｖ）における太陽電池パネル１５の発電能力と表示桁数に応じた消費電流との関係を説明する図であり、同図（Ａ）は太陽電池パネル１５の照度(lux)と発電量(μA)との対応関係を示すテーブル、同図（Ｂ）は表示桁数と消費電流(μA)との対応関係を示すテーブル、同図（Ｃ）は太陽電池パネル１５の照度(lux)と発電量(μA)との関係上での表示桁別消費電流を示すグラフである。
【００２９】
太陽電池パネル１５から電卓１０の必要駆動電圧（１．５Ｖ）を出力させるとき、図３（Ａ）に示すように、異なる照度２００(lux)〜５００(lux)が与えられたときの発電量（電流）は、９．２(μA)〜２０．６(μA)になる。
【００３０】
また、電卓１０を必要駆動電圧（１．５Ｖ）で駆動させるとき、図３（Ｂ）に示すように、異なる表示桁数１２桁、６桁、１桁にそれぞれ対応した消費電流は、１６(μA)、１３(μA)、１１(μA)である。
【００３１】
ここで、図３（Ｃ）に示すように、例えば４００(lux)の明るさの下では、１６．２(μA)の発電量（電流）が得られるので、表示部１４において１２桁の数字を表示し１６(μA)の消費電流が必要であっても、発電量不足にはならず、太陽電池パネル１５は必要駆動電圧１．５Ｖを供給できることが分かる。
【００３２】
一方、例えば３００(lux)の明るさの下では、１３．４(μA)の発電量（電流）しか得られないので、表示部１４において１２桁の数字を表示し１６(μA)の消費電流が必要になると、発電量不足になり、太陽電池パネル１５は必要駆動電圧１．５Ｖを供給できずに出力電圧が低下し、表示濃度が薄くなってしまう。
【００３３】
このため、この実施形態の電卓１０では、例えば１２桁の数字を表示しているときに、明るさが３００(lux)に低下して発電量不足になりそうなときには、表示可能桁数を６桁に制限して必要消費電流を１３(μA)に抑えることで、表示濃度へ影響が出ないようにして表示品位を維持する機能を持たせる。
【００３４】
次に、前記構成による電卓１０の動作について説明する。
【００３５】
図４は、前記電卓１０の基本動作を示すフローチャートである。
【００３６】
［ＡＣ（ＯＮ）］キーの押下操作により電源がＯＮにされると、メモリ２１ｍに記憶された電卓制御プログラムが起動され、同メモリ２１ｍ内に確保された表示桁数設定レジスタに記憶される表示桁数Ｎが１２桁に設定される（ステップＳ１）。
【００３７】
すると、表示部１４における１２桁の数値表示体の全てが一定時間、例えば１秒間、“０”の表示に駆動され、この１２桁表示で計算できることがユーザに報知される（ステップＳ２）。
【００３８】
この後、表示部１４における１桁目の数値表示体が“０”の表示に駆動されて入力待ちの状態となる（ステップＳ３）。ここで、ユーザ操作に応じたキー入力信号を受け取ると、操作キーに従った数値表示処理及び演算処理が実行され（ステップＳ４）、演算結果の数値が表示部１４に表示される（ステップＳ５）。
【００３９】
図５は、前記電卓１０の桁数制御処理を示すフローチャートである。
【００４０】
この桁数制御処理は、キー入力待ちの状態、つまり［ＡＣ］キーの操作後の入力待ちの状態および計算途中の数値表示状態において、前記制御部（ＣＰＵ）２１の電圧検出Ａ／Ｄ変換部２１ａに検出される太陽電池パネル１５からの出力電圧Ｖｓの電圧データが、その必要駆動電圧の１．５Ｖ以下となった場合と１．６Ｖ以上に回復した場合とに割込みで実行される。
【００４１】
図６は、前記電卓１０における太陽電池パネル１５の発電量の低下に伴う桁数制御処理に応じた表示動作を示す図である。
【００４２】
例えば計算途中において、図６（Ａ）に示すように、表示部１４に１１桁の数値“12,345,678,901”が表示された状態で、太陽電池パネル１５の受ける照度が低下してその発電量が下がり、前記電圧検出Ａ／Ｄ変換部２１ａに検出される電圧データ（Ｖｓ）が１．５Ｖ（必要駆動電圧）以下に低下したと判断されると（ステップＴ１（Ｙｅｓ））、前記表示部１４の表示状態に基づき計算途中と判断され（ステップＴ２（Ｙｅｓ））、現在の設定表示桁数Ｎ（＝１２桁）がメモリ２１ｍに記憶される（ステップＴ３）。
【００４３】
この際、表示部１４に表示中の数値“12,345,678,901”の表示濃度が薄くなり始めるものの、ここで表示桁数を減少して制限すると計算不能になる場合があるため、表示桁数を減少することは行わず、図６（Ｂ）に示すように、現状の数値表示が維持されると共に照度低下シンボルＬが点灯表示され、ユーザに対し新たな計算に入るときにはその表示桁数が減少されて制限されることが事前に報知される（ステップＴ４）。
【００４４】
そして、図６（Ｃ）に示すように、［ＡＣ］キーが押下され新たな計算に入る際に、前記電圧検出Ａ／Ｄ変換部２１ａに検出される電圧データ（Ｖｓ）が１．５Ｖ（必要駆動電圧）以下に低下していると判断されると（ステップＴ１（Ｙｅｓ））、計算途中ではなく（ステップＴ２（Ｎｏ））、また、メモリ２１ｍに記憶された現在の設定表示桁数Ｎ（＝１２桁）であって、本桁数制御処理による最大制限の表示桁数（６桁）ではないと判断される（ステップＴ５（Ｎｏ））。
【００４５】
すると、前記メモリ２１ｍに記憶された現在の設定表示桁数Ｎ（＝１２桁）未満に制限された表示桁数Ｎ（＝９桁）に設定され（ステップＴ６）、表示部１４における９桁の数値表示体が一定時間“０”の表示に駆動され、９桁表示へ制限されることがユーザに報知される（ステップＴ７）。
【００４６】
そして、図６（Ｄ）に示すように、前記表示部１４における１桁目の数値表示体が“０”の表示に駆動されて入力待ちの状態となる。
【００４７】
なお、前記ステップＴ５において、メモリ２１ｍに記憶された現在の設定表示桁数Ｎ（＝６桁）であって、本桁数制御処理による最大制限の表示桁数（６桁）に既に制限済みであると判断された場合は（ステップＴ５（Ｙｅｓ））、前記照度低下シンボルＬが点滅表示され、ユーザに対し太陽電池パネル１５の照度不足が警報される（ステップＴ８）。
【００４８】
図７は、前記電卓１０における太陽電池パネル１５の発電量の回復に伴う桁数制御処理に応じた表示動作を示す図である。
【００４９】
例えば前記図６（Ｃ）（Ｄ）で示したように、設定表示桁数Ｎ（＝９桁）に制限された計算途中において、図７（Ａ）に示すように、表示部１４に８桁の数値“12,345,678”が表示された状態で、太陽電池パネル１５の受ける照度が上昇してその発電量が回復し、前記電圧検出Ａ／Ｄ変換部２１ａに検出される電圧データ（Ｖｓ）が１．６Ｖ以上に上昇したと判断されると（ステップＴ９（Ｙｅｓ））、前記表示部１４の表示状態に基づき計算途中と判断される（ステップＴ１０（Ｙｅｓ））。
【００５０】
この場合、表示部１４に表示中の数値“12,345,678”の表示濃度に何ら悪影響はないので、現状の数値表示が維持される。
【００５１】
この後、図７（Ｂ）に示すように、［ＡＣ］キーが押下され新たな計算に入る際に、前記電圧検出Ａ／Ｄ変換部２１ａに検出される電圧データ（Ｖｓ）が１．６Ｖ以上に上昇していると判断されると（ステップＴ９（Ｙｅｓ））、計算途中ではなく（ステップＴ１０（Ｎｏ））、また、メモリ２１ｍに記憶された現在の設定表示桁数Ｎ（＝９桁）であって、本桁数制御処理による制限のない表示桁数（１２桁）ではない（つまり表示桁数の制限中）と判断される（ステップＴ１１（Ｎｏ））。
【００５２】
すると、前記メモリ２１ｍに記憶された現在の設定表示桁数Ｎ（＝９桁）が、＋３桁された一段階上（この場合は非制限）の表示桁数Ｎ（＝１２桁）に設定され（ステップＴ１２）、表示部１４における１２桁の数値表示体が一定時間“０”の表示に駆動され、この１２桁表示がユーザに報知される（ステップＴ１３）。
【００５３】
そして、図７（Ｃ）に示すように、前記表示部１４における１桁目の数値表示体が“０”の表示に駆動されて入力待ちの状態となる。
【００５４】
なお、前記ステップＴ１において電圧低下を判断する閾値を必要駆動電圧の１．５Ｖ以下と設定し、また前記ステップＴ９において電圧上昇を判断する閾値を１．６Ｖ以上と設定してヒステリシスを持たせた理由は、表示桁数を減少して制限する処理と、逆に増加して回復させる処理とが頻繁に切り替わる不具合を防止するためである。
【００５５】
したがって、前記構成の電卓１０における太陽電池パネル１５の発電量変動に応じた表示桁数制御機能によれば、制御部（ＣＰＵ）２１の電圧検出Ａ／Ｄ変換部２１ａに検出される電圧データ（Ｖｓ）が正常動作の必要駆動電圧１．５Ｖ以下に低下したと判断されると、その都度、表示部（最大１２桁表示）１４で動作させる表示桁数Ｎを一段階（３桁）減少して制限し、また前記電圧データ（Ｖｓ）が１．６Ｖ以上に回復したと判断されると、その都度、前記表示桁数Ｎを一段階（３桁）増加して動作させる。
【００５６】
これにより、太陽電池パネル１５に対する照度変化に応じて表示部１４における数値表示の濃度が薄くなる不具合を防止し、その表示品位を一定に保つことができる。
【００５７】
また、前記構成の電卓１０における太陽電池パネル１５の発電量変動に応じた表示桁数制御機能によれば、制御部（ＣＰＵ）２１の電圧検出Ａ／Ｄ変換部２１ａに検出される電圧データ（Ｖｓ）が正常動作の必要駆動電圧１．５Ｖ以下に低下したと判断された場合でも、計算途中と判断された場合には表示部１４で動作中の現在の表示桁数Ｎを維持する。そして［ＡＣ］キーの操作により次の計算に入る際に、前記電圧低下に応じた表示桁数Ｎの制限制御を実施する。
【００５８】
これにより、計算の途中に表示部１４で動作する表示桁数が減少されて計算不能になることを防止できる。
【００５９】
さらに、前記構成の電卓１０における太陽電池パネル１５の発電量変動に応じた表示桁数制御機能によれば、前記制御部（ＣＰＵ）２１の電圧検出Ａ／Ｄ変換部２１ａに検出される電圧データ（Ｖｓ）が正常動作の必要駆動電圧１．５Ｖ以下に低下したと判断された場合であって、計算途中との判断により表示部１４で動作中の現在の表示桁数Ｎを維持した場合は、照度低下シンボルＬが点灯表示され、次の計算に入るときにその表示桁数が減少されて制限されることが事前に報知される。
【００６０】
なお、前記実施形態では制御部（ＣＰＵ）２１は太陽電池パネル１５から供給される発電電力によってのみ駆動されるが、充電池あるいはコンデンサ等を構成に追加し、これらの電力を利用するようにしても構わない。また、前記実施形態において記載した太陽電池を備えた電卓１０による各処理の手法、すなわち、図４のフローチャートに示す基本動作処理、図５のフローチャートに示す前記基本動作処理に割込みで実行される桁数制御処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体に格納して配布することができる。そして、セグメント型表示部（１４）を有し太陽電池（１５）により駆動される電子機器（１０）のコンピュータ（２１）は、この外部記憶媒体に記憶されたプログラムを記憶装置（２１ｍ）に読み込み、この読み込んだプログラムによって動作が制御されることにより、前記実施形態において説明した太陽電池（１５）の発電量変動に応じた表示桁数制御機能を実現し、前述した手法による同様の処理を実行することができる。
【００６１】
また、前記各手法を実現するためのプログラムのデータは、プログラムコードの形態として通信ネットワーク上を伝送させることができ、この通信ネットワークに接続されたコンピュータ装置（プログラムサーバ）から前記のプログラムデータをセグメント型表示部（１４）有し太陽電池（１５）により駆動される電子機器（１０）に取り込んで記憶装置（２１ｍ）に記憶させ、前述した太陽電池（１５）の発電量変動に応じた表示桁数制御機能を実現することもできる。
【００６２】
なお、本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００６３】
以下に、本願出願の当初の特許請求の範囲に記載された発明を付記する。
【００６４】
［１］
太陽電池と、
複数の表示体を有する表示部と、
前記太陽電池の発電量の変化に応じて前記表示部で動作させる表示体の表示数を変更する表示数制御手段と、
を備えたことを特徴とする電子機器。
【００６５】
［２］
前記太陽電池の出力電圧を検出する電圧検出部を備え、
前記表示数制御手段は、前記電圧検出部により検出される太陽電池の出力電圧に応じて前記表示部で動作させる表示体の表示数を変更する、
ことを特徴とする［１］に記載の電子機器。
【００６６】
［３］
前記表示数制御手段は、
前記電圧検出部により検出される太陽電池の出力電圧が予め設定された電圧以下となった場合に前記表示部で動作させる表示体の表示数を減少して変更する減少手段と、
前記電圧検出部により検出される太陽電池の出力電圧が予め設定された電圧以上に回復した場合に前記表示部で動作させる表示体の表示数を増加して変更する増加手段とを有する、
ことを特徴とする［２］に記載の電子機器。
【００６７】
［４］
前記増加手段において予め設定された電圧は、前記減少手段において予め設定された電圧よりも高い電圧に設定されることを特徴とする［３］に記載の電子機器。
【００６８】
［５］
計算動作の途中であるかを判断する計算途中判断手段を備え、
この計算途中判断手段により計算動作の途中であると判断される状態では、前記表示数制御手段による表示数の変更を行わないことを特徴とする［１］ないし［４］の何れかに記載の電子機器。
【００６９】
［６］
前記表示部は、前記複数の表示体が複数桁を構成するように配置されており、
前記表示数制御手段は、前記太陽電池の発電量の変化に応じて前記表示部で動作させる表示体の表示桁数を変更することを特徴とする［１］ないし［５］の何れかに記載の電子機器。
【符号の説明】
【００７０】
１０  …電子式卓上計算機（電卓）
１１  …キー入力部
１２  …数値・演算記号キー群
１３  …計算機能設定キー群
１４  …セグメント型の液晶表示部（ＬＣＤ）
１５  …太陽電池パネル
２１  …制御部（ＣＰＵ）
２１ａ…電圧検出Ａ／Ｄ変換部
２１ｍ…メモリ
Ｖｓ  …制御部駆動電圧
Ｌ    …照度低下シンボル
【図１】
2014010551.tif 000003
【図２】
2014010551.tif 000004
【図３】
2014010551.tif 000005
【図４】
2014010551.tif 000006
【図５】
2014010551.tif 000007
【図６】
2014010551.tif 000008
【図７】
2014010551.tif 000009